(57)【要約】【課題】キャリアにより物品を運搬する時、階段や特別の地形を、スムーズに越えることができる運搬装置を提供する。【解決手段】キャリアとシャフト、コンロッド、第１の転動ユニット、第２の転動ユニット及び補助輪が含有され、或いは、キャリアとコンロッド、第１の転動ユニット、第２の転動ユニット及び第３の転動ユニットが含有される。【選択図】図１
2008162571.tif 000002
【特許請求の範囲】
【請求項１】
キャリアと、
上記のキャリアの底部に固定されるシャフトと、
それぞれ、可動的に上記のシャフトの両側に設けられる二つのコンロッドと、
それぞれ、可動的に上記のコンロッドの一端に設けられ、それぞれ、五つのそれぞれに可動的に車輪を設置するための軸支部を有する二つの第１の転動ユニットと、
それぞれ、可動的に上記のコンロッドの両端の間に設けられ、それぞれ、五つのそれぞれに可動的に車輪を設置するための軸支部を有する二つの第２の転動ユニットと、
それぞれ、可動的に上記のコンロッドのもう一端に設けられる二つの補助輪と、
が含有される、
ことを特徴とする運搬装置。
【請求項２】
該キャリアは、バスケット体や箱体、車椅子或いは他の物品を運搬する道具であることを特徴とする請求項１に記載の運搬装置。
【請求項３】
該シャフトは、該コンロッドの該第１の転動ユニットが位置する一端に、可動的に設けられることを特徴とする請求項１に記載の運搬装置。
【請求項４】
該シャフトは、該コンロッドの該補助輪が位置する一端に、可動的に設けられることを特徴とする請求項１に記載の運搬装置。
【請求項５】
該シャフトは、該コンロッドの両端の間に位置するように、可動的に設けられることを特徴とする請求項１に記載の運搬装置。
【請求項６】
キャリアと、
それぞれ、可動的に上記のキャリアの下方の両側に設けられ、それぞれ、五つのそれぞれに可動的に設けられ車輪を設置するための軸支部を有する二つの第１の転動ユニットと、
それぞれ、可動的に上記のキャリアの両側に設けられた該第１の転動ユニットより下方の位置に設けられ、それぞれ、五つのそれぞれに可動的に設けられる車輪を設置するための軸支部を有する二つの第２の転動ユニットと、
それぞれ、可動的に上記のキャリアの両側に設けられた該第２の転動ユニットより下方の位置に設けられる二つの補助輪と、
が含有される、
ことを特徴とする運搬装置。
【請求項７】
該キャリアは、バスケット体や箱体、車椅子或いは他の物品を運搬する道具であることを特徴とする請求項６に記載の運搬装置。
【請求項８】
キャリアと、
それぞれ、可動的に上記のキャリアの下方の両側に設けられる二つのコンロッドと、
それぞれ、可動的に上記のコンロッドの一端に設けられ、それぞれ、五つのそれぞれに可動的に車輪を設置するための軸支部を有する二つの第１の転動ユニットと、
それぞれ、可動的に上記のコンロッドのもう一端に設けられ、それぞれ、五つのそれぞれに可動的に車輪を設置するための軸支部を有する二つの第２の転動ユニットと、
それぞれ、上記のコンロッドより下方に、可動的に設けられ、それぞれ、五つのそれぞれに可動的に車輪を設置するための軸支部を有する二つの第３の転動ユニットと、
が含有される、
ことを特徴とする運搬装置。
【請求項９】
該キャリアは、バスケット体や箱体、車椅子或いは他の物品を運搬する道具であることを特徴とする請求項８に記載の運搬装置。
【請求項１０】
該コンロッドは、Ｌ文字形状であることを特徴とする請求項８に記載の運搬装置。
【請求項１１】
該コンロッドの回転範囲を制限するストッパーが設けられることを特徴とする請求項８に記載の運搬装置。
【発明の詳細な説明】
【技術分野】
【０００１】
本発明は、運搬装置に関し、特に、ユーザーがキャリアにより物品を運搬する時、階段や特別の地形を、スムーズに越えるものに関する。
【背景技術】
【０００２】
一般の従来のものは、例えば、中華民国専利公報申請第０９２２１９６５４号である「階段面で移動可能の鞄車輪構造」があり、箱体の背面下方の両側に、上へ延ばす長尺状の垂直座が設けられ、垂直座に、複数の背面車輪を組み立てるための複数の車輪座が設けられ、背面車輪の直径が、上から下へ向かって少しずつ大きくなり、即ち、箱体の背面下方の両側に、それぞれ、配列された複数の背面車輪があり、下方の背面車輪の直径が、上方の背面車輪の直径より大きく、上記の構造により、階段を登る時、背面車輪により、階段の垂直面に抵当して、箱体が斜めに上へ引張られ、また、階段の角部に着く時、上方の背面車輪により階段の水平面に抵当し、また、下方の背面車輪により、階段の垂直面に抵当することにより、箱体が、大きい角度で引張られ、これにより、箱体が階段面で引張られる効果が得られる。
【０００３】
上記の従来の「階段面で移動可能の鞄車輪構造」は、上方の背面車輪により階段の水平面に抵当し、また、下方の背面車輪により、階段の垂直面に抵当することにより、箱体が、大きい角度で引張られ、これにより、箱体が階段面で引張られる効果が得られるが、該鞄を階段面で引っ張る時、ユーザーが、箱体を所定の角度で上へ引張らないと、背面車輪が、それぞれ、階段の両面に抵当できなく、例えば、ユーザーが、直立の方式や所定の角度でない方式で、上へ箱体を引張る時、引張ることが難しくなり、実用的とは言えない。
【発明の開示】
【発明が解決しようとする課題】
【０００４】
本発明の主な目的は、ユーザーがキャリアにより物品を運搬する時、階段や特別の地形を、スムーズに越える運搬装置を提供する。
【課題を解決するための手段】
【０００５】
本発明の第１の実施例は、上記の目的を達成するため、キャリアと、上記のキャリアの底部に固定されるシャフトと、それぞれ、可動的に上記のシャフトの両側に設けられる二つのコンロッドと、それぞれ、可動的に上記のコンロッドの一端に設けられ、それぞれ、五つのそれぞれに可動的に車輪を設置するための軸支部を有する二つの第１の転動ユニットと、それぞれ、可動的に上記のコンロッドの両端の間に設けられ、それぞれ、五つのそれぞれに可動的に車輪を設置するための軸支部を有する二つの第２の転動ユニットと、それぞれ、可動的に上記のコンロッドのもう一端に設けられる二つの補助輪と、が含有されることを特徴とする運搬装置である。
【０００６】
本発明の第２の実施例は、上記の目的を達成するため、キャリアと、それぞれ、可動的に上記のキャリアの下方の両側に設けられ、それぞれ、五つのそれぞれに可動的に設けられ車輪を設置するための軸支部を有する二つの第１の転動ユニットと、それぞれ、可動的に上記のキャリアの両側に設けられた該第１の転動ユニットより下方の位置に設けられ、それぞれ、五つのそれぞれに可動的に設けられる車輪を設置するための軸支部を有する二つの第２の転動ユニットと、それぞれ、可動的に上記のキャリアの両側に設けられた該第２の転動ユニットより下方の位置に設けられる補助輪と、が含有されることを特徴とする運搬装置である。
【０００７】
本発明の第３の実施例は、上記の目的を達成するため、キャリアと、それぞれ、可動的に上記のキャリアの下方の両側に設けられる二つのコンロッドと、それぞれ、可動的に上記のコンロッドの一端に設けられ、それぞれ、五つのそれぞれに可動的に車輪を設置するための軸支部を有する二つの第１の転動ユニットと、それぞれ、可動的に上記のコンロッドのもう一端に設けられ、それぞれ、五つのそれぞれに可動的に車輪を設置するための軸支部を有する二つの第２の転動ユニットと、それぞれ、上記のコンロッドより下方に、可動的に設けられ、それぞれ、五つのそれぞれに可動的に車輪を設置するための軸支部を有する二つの第３の転動ユニットと、が含有されることを特徴とする運搬装置である。
【発明を実施するための最良の形態】
【０００８】
図１と２は、それぞれ、本発明の第１の実施例の立体外観概念図と本発明の第１の実施例の立体分解概念図である。図のように、本発明は、運搬装置であり、少なくとも、キャリア１とシャフト１１、二つのコンロッド２、二つの第１の転動ユニット３、二つの第２の転動ユニット４及び二つの補助輪５から構成され、キャリア１は、第１、第２の転動ユニット３、４により、ユーザーがキャリア１を引張る時、スムーズに階段や特別の地形を登る効果が得られる。
【０００９】
上記のキャリア１は、バスケット体や箱体、車椅子或いは他の物品を運搬する道具であり、該キャリア１の底部に、コンロッド２を連結するためのシャフト１１が設けられ、該シャフト１１は、ほぼ該コンロッド２の中間位置に設置される。
【００１０】
該コンロッド２は、それぞれ、可動的に上記のシャフト１１の両側に設けられる。
【００１１】
該第１の転動ユニット３は、それぞれ、可動的に上記のコンロッド２の一端に設けられ、それぞれ、五つのそれぞれに可動的に車輪３２、３２ａ、３２ｂ、３２ｃ、３２ｄを設置するための軸支部３１を有する。
【００１２】
該第２の転動ユニット４は、可動的に上記のコンロッド２の両端の間に設けられ、それぞれ、五つのそれぞれに可動的に車輪４２、４２ａ、４２ｂ、４２ｃ、４２ｄを設置するための軸支部４１を有し、また、シャフト１１が連結される位置とほぼ同じ位置に設置される。
【００１３】
該補助輪５は、可動的に上記のコンロッド２のもう一端に設けられる。上記の構造により、新規の運搬装置が構成される。
【００１４】
図３と４は、本発明の第１の実施例の第１の運用状態概念図と第２の運用状態概念図である。図のように、本発明は、使用する時、ユーザーが、キャリア１の一端の握り部１２を握ってキャリア１を引張り、平地で移動する場合、第２の転動ユニット４の車輪４２、４２ａにより地面に抵当して転動し、平地から階段６（や特別の地形）を登る場合、該第１の転動ユニット３は、車輪３２により階段６の第１の平面６１に抵当して、車輪３２ａにより階段６の第１の垂直面６１ａに抵当し、この時、該補助輪５は、地面に抵当し、そのため、第２の転動ユニット４は、階段６と地面に接触しないようになり、そして、続いて上へ登ると、該第１の転動ユニット３の車輪３２、３２ａが転動して第１の平面６１に抵当することになり、その間、該第２の転動ユニット４は、車輪４２ｄ、４２により、それぞれ、第１の平面６１と第１の垂直面６１ａに抵当すると、該第１の転動ユニット３と該補助輪５は、作用しなくなり、そして、更に上へ登ると、上記のような作動により、該第１の転動ユニット３は、上方の次の階段の第２の平面６２と第２の垂直面６２ａに抵当し、そして、該補助輪５が第１の平面６１に抵当することにより、該第２の転動ユニット４は、再び作用しなくなり、このように、該第１、第２の転動ユニット３、４、そして、該補助輪５の交互に作動することを繰り返すことにより、スムーズに階段を上る効果が得られる。
【００１５】
図５と６は、それぞれ、本発明の第２の実施例の立体外観概念図と本発明の第２の実施例の立体分解概念図である。図のように、本発明は、直接に、キャリア１の下方の両側に、順に上から下へ、可動的に第１の転動ユニット３と第２の転動ユニット４及び補助輪５を設置する構成でも良く、本実施例によっても、交互に第１の転動ユニット３と第２の転動ユニット４及び補助輪５を作動するにより、スムーズに階段を上る効果が得られる。
【００１６】
図７は、本発明の第３の実施例の立体外観概念図である。図のように、本発明は、Ｌ文字形状のコンロッド２ａを、可動的にキャリア１の下方の両側に設置し、また、第１の転動ユニット３と第２の転動ユニット４を、それぞれ、可動的に、該コンロッド２ａの両端に設置し、そして、上記のコンロッド２ａより下方に、それぞれ、可動的に第３の転動ユニット７を設置する構成であっても良く、また、該コンロッド２ａの回転範囲を制限するストッパー２２を設けることが好ましい。
【００１７】
本発明は、五つの車輪を有する転動ユニットを組合わせるものを例として、スムーズに障害を越える効果を説明するが、例えば、五つの車輪を有する転動ユニットの代わりに、五つ以上か五つ以下の車輪を有する転動ユニットを利用しても良く、また、補助輪の代わりに、複数の車輪を有する転動ユニットを利用しても良く、また、三つの転動ユニットを組合わせるものと二つの転動ユニットと一つの補助輪とを組合わせるものの代わりに、それ以上の転動ユニットや補助輪を組合わせるものを利用しても良い。
【００１８】
以上の説明から分かるように、本発明に係わる運搬装置によれば、有効的に従来の諸欠点を改善でき、これにより、ユーザーが、スムーズに階段や特別の地形を越えるように、キャリアを引張ることができるから、本発明は、より進歩的且つより実用的であるため、法に従って特許請求を出願する。
【００１９】
以上は、ただ、本発明のより良い実施例であり、本発明は、それによって制限されることが無く、本発明の特許請求の範囲や明細書の内容に基づいて行う等価の変更や修正は、全て、本発明に係わる特許請求の範囲内に含まれる。
【図面の簡単な説明】
【００２０】
【図１】本発明の第１の実施例の立体外観概念図
【図２】本発明の第１の実施例の立体分解概念図
【図３】本発明の第１の実施例の第１の運用状態概念図
【図４】本発明の第１の実施例の第２の運用状態概念図
【図５】本発明の第２の実施例の立体外観概念図
【図６】本発明の第２の実施例の立体分解概念図
【図７】本発明の第３の実施例の立体外観概念図
【符号の説明】
【００２１】
１          キャリア
１１        シャフト
２、２ａ    コンロッド
２２        ストッパー
３          第１の転動ユニット
３１        軸支部
３２、３２ａ、３２ｂ、３２ｃ、３２ｄ  車輪
４          第２の転動ユニット
４１        軸支部
４２、４２ａ、４２ｂ、４２ｃ、４２ｄ  車輪
５          補助輪
６          階段
６１        第１の平面
６１ａ      第１の垂直面
６２        第２の平面
６２ａ      第２の垂直面
７          第３の転動ユニット
【図１】
2008162571.tif 000003
【図２】
2008162571.tif 000004
【図３】
2008162571.tif 000005
【図４】
2008162571.tif 000006
【図５】
2008162571.tif 000007
【図６】
2008162571.tif 000008
【図７】
2008162571.tif 000009